(57)【要約】  空気調和機の操作装置（１６）は、空気調和機が吹き送る風の向きと量とを特定するための第１の複数のボタン（２０）を有する。第１の複数のボタン（２０）の各々は、空気調和機が吹き送る風の向きと量との複数の組のいずれかひとつに対応付けられていると共に、ひとつの面において、空気調和機の少なくとも一部を象徴する物から放射状に広がる複数の線（２１ａ−２１ｅ）のうちのいずれかひとつの上に配置されている。
2019175986.tif 000002
【特許請求の範囲】
【請求項１】
空気調和機が吹き送る風の向きと量とを特定するための第１の複数のボタンと、
前記空気調和機の少なくとも一部を象徴する物とを備え、
前記第１の複数のボタンの各々は、前記空気調和機が吹き送る風の向きと量との複数の組のいずれかひとつに対応付けられていると共に、ひとつの面において、前記空気調和機の少なくとも一部を象徴する物から放射状に広がる複数の線のうちのいずれかひとつの上に配置されている
空気調和機の操作装置。
【請求項２】
前記複数の線の各々は、前記空気調和機が吹き送る風の複数の向きのいずれかひとつに対応しており、
前記複数の線の各々の上には、前記第１の複数のボタンのうちの複数のボタンが配置されており、
前記複数の線の各々に配置されているボタンに対応付けられている組の風の量は、前記少なくとも一部を象徴する物から離れるにしたがって大きくなり又は小さくなり、
前記空気調和機が吹き送る風の前記複数の向きのうちの任意のひとつの向きが第１の向きであり、前記複数の向きのうちの前記第１の向きの一方の側の隣の向きが第２の向きであり、前記複数の向きのうちの前記第１の向きの他方の側の隣の向きが第３の向きであり、前記複数の線のうちの任意の線が第１の線であり、前記複数の線のうちの前記第１の線の一方の側の隣の線が第２の線であり、前記複数の線のうちの前記第１の線の他方の側の隣の線が第３の線であると定義される場合、前記第１の線は前記第１の向きに対応しており、前記第２の線は前記第２の向きに対応しており、前記第３の線は前記第３の向きに対応している
請求項１に記載の空気調和機の操作装置。
【請求項３】
前記空気調和機が吹き送る風の向きと量とを特定するための第２の複数のボタンと、
前記空気調和機の前記一部と異なる一部を象徴する物とを更に備え、
前記第１の複数のボタンの各々は、前記空気調和機の第１の吹き出し口が吹き送る風の向きと量との複数の組のいずれかひとつに対応付けられており、
前記第２の複数のボタンの各々は、前記空気調和機の第２の吹き出し口が吹き送る風の向きと量との複数の組のいずれかひとつに対応付けられていると共に、前記ひとつの面の前記第１の複数のボタンと前記空気調和機の前記一部と異なる一部を象徴する物とが配置されている領域と異なる領域において、前記空気調和機の前記一部と異なる一部を象徴する物から放射状に広がる複数の線のうちのいずれかひとつの上に配置されている
請求項１に記載の空気調和機の操作装置。
【請求項４】
前記第１の複数のボタンの各々は、少なくとも押下された場合に発光する発光素子を有する
請求項１から３のいずれか１項に記載の空気調和機の操作装置。
【請求項５】
前記複数の線の各々は、前記空気調和機が吹き送る風の複数の向きのいずれかひとつに対応しており、
前記複数の線の各々の上には、前記第１の複数のボタンのうちの複数のボタンが配置されており、
前記空気調和機が人感センサを用いて前記空気調和機が配置されている位置からユーザが存在する位置の向きである第１の向きに風を吹き送っている場合、
前記第１の複数のボタンのうちの前記第１の向きに対応付けられている複数の組のボタンのうちの前記一部を象徴する物から最も離れた位置に配置されているボタンが有する前記発光素子は、点灯し、
前記第１の向きに対応付けられている複数の組のボタンのうちの前記一部を象徴する物から最も離れた位置に配置されているボタンより前記一部を象徴する物の側に配置されているボタンが有する前記発光素子は、前記一部を象徴する物からの距離の順に点滅する
請求項４に記載の空気調和機の操作装置。
【請求項６】
複数の第２発光素子を更に備え、
前記複数の第２発光素子の各々は、前記複数の線のうちの対応するひとつの線の上に配置されており、
前記複数の線の各々は、前記複数の第２発光素子のうちのいずれかひとつに対応しており、
前記空気調和機が人感センサを用いて前記空気調和機が配置されている位置からユーザが存在する位置の向きである第１の向きと異なる第２の向きに風を吹き送っている場合、前記複数の第２発光素子のうちの前記第１の向きに対応する線の上に設けられている第２発光素子は、点灯する
請求項１から４のいずれか１項に記載の空気調和機の操作装置。
【請求項７】
請求項１から４のいずれか１項に記載の空気調和機の操作装置と、
ユーザの指が前記第１の複数のボタンの上をスライドしていることと前記指がスライドした後に停止したこととを検出する検出部と、
前記指が前記第１の複数のボタンの上をスライドした後に停止したことが前記検出部によって検出された場合、前記第１の複数のボタンのうちの前記指が停止したボタンに対応付けられている向きと量とで送風を行わせる制御部と
を備える空気調和機。
【請求項８】
ベーンを更に備え、
前記指が前記第１の複数のボタンの上をスライドして停止した後に前記指が再度スライドして再度停止した場合、前記指が最初に停止したボタンである第１のボタンに対応付けられている組の量と前記指が最後に停止したボタンである第２のボタンに対応付けられている組の量とが同じであるとき、前記制御部は、前記第１のボタンに対応付けられている向きと前記第２のボタンに対応付けられている向きとの間で前記ベーンをスイングさせる
請求項７に記載の空気調和機。
【請求項９】
請求項１から４のいずれか１項に記載の空気調和機の操作装置と、
ユーザの指が前記第１の複数のボタンのうちのいずれかひとつのボタンを押下したことを検出する検出部と、
前記指が前記第１の複数のボタンのうちのいずれかひとつのボタンを押下したことが前記検出部によって検出された場合、前記第１の複数のボタンのうちの前記指が押下したボタンに対応付けられている組の向きと量とで送風を行わせる制御部と
を備える空気調和機。
【請求項１０】
ベーンを更に備え、
前記指が前記第１の複数のボタンのうちのいずれかひとつのボタンを押下した後に前記指がスライドして停止した場合、前記指が押下したボタンである第１のボタンに対応付けられている組の量と前記指が停止したボタンである第２のボタンに対応付けられている組の量とが同じであるとき、前記制御部は、前記第１のボタンに対応付けられている向きと前記第２のボタンに対応付けられている向きとの間で前記ベーンをスイングさせる
請求項９に記載の空気調和機。
【請求項１１】
請求項１から４のいずれか１項に記載の空気調和機の操作装置と、
風を吹き送るための複数のベーンと、
前記第１の複数のボタンのうちの風の量が同じで風の向きが異なる組に対応付けられている第１のボタンと第２のボタンとが同時に押下された場合に前記第１のボタンと前記第２のボタンとが同時に押下されたことを検出する検出部と、
前記第１のボタンと前記第２のボタンとが同時に押下されたことが検出部によって検出された場合、前記複数のベーンのうちの第１のベーンについて、前記検出部によって検出された前記第１のボタンに対応付けられている組の向きに風を吹き送らせ、前記複数のベーンのうちの第２のベーンについて、前記検出部によって検出された前記第２のボタンに対応付けられている組の向きに風を吹き送らせる制御を行う制御部と
を備える空気調和機。
【請求項１２】
請求項４に記載の空気調和機の操作装置と、
前記第１の複数のボタンのうちの設定された自動運転時に前記空気調和機が吹き送っている風の向きと量との組に対応するボタンが有する前記発光素子を点灯させる制御部と
を備える空気調和機。
【請求項１３】
請求項１から４のいずれか１項に記載の空気調和機の操作装置と、
風を吹き送らせない向きを示す情報を受け付ける受付部と、
設定された自動運転時に前記受付部が前記情報を受け付けた場合、前記情報が示す向きに風を吹き送らせない制御を行う制御部と
を備える空気調和機。
【請求項１４】
空気調和機が吹き送る風の向きを特定するための複数のボタンを備え、
前記複数のボタンの各々は、前記空気調和機が吹き送る風の複数の向きのいずれかひとつに対応付けられていると共に、ひとつの面のひとつの線の上に配置されている
空気調和機の操作装置。
【請求項１５】
前記複数のボタンの各々は、少なくとも押下された場合に発光する発光素子を有する
請求項１４に記載の空気調和機の操作装置。
【請求項１６】
風を吹き送る空気調和機であって、
鉛直線の上において前記空気調和機の上面が前記空気調和機の底面より鉛直上方の側に配置された状態において相対的に鉛直上方に位置する上ベーンと、
前記状態において相対的に鉛直下方に位置する下ベーンと、
請求項１４又は１５に記載の空気調和機の操作装置と、
前記複数のボタンのうちのいずれかひとつが押下された場合に押下されたボタンを検出する検出部と、
前記上ベーン及び前記下ベーンについて、前記検出部によって検出されたボタンに対応付けられている向きに風を吹き送らせる制御を行う制御部と
を備える空気調和機。
【請求項１７】
風を吹き送る空気調和機であって、
鉛直線の上において前記空気調和機の上面が前記空気調和機の底面より鉛直上方の側に配置された状態において相対的に鉛直上方に位置する上ベーンと、
前記状態において相対的に鉛直下方に位置する下ベーンと、
請求項１４又は１５に記載の空気調和機の操作装置と、
前記複数のボタンのうちの第１のボタンと第２のボタンとが同時に押下された場合に前記第１のボタンと前記第２のボタンとが同時に押下されたことを検出する検出部と、
前記第１のボタンと前記第２のボタンとが同時に押下されたことが前記検出部によって検出された場合、前記上ベーンについて前記第１のボタンに対応付けられている向きに風を吹き送らせる制御を行い、前記下ベーンについて前記第２のボタンに対応付けられている向きに風を吹き送らせる制御を行う制御部と
を備える空気調和機。
【発明の詳細な説明】
【技術分野】
【０００１】
本発明は、空気調和機が吹き送る風の向きをユーザが指定するための空気調和機の操作装置及び空気調和機に関する。
【背景技術】
【０００２】
従来、空気調和機が吹き送る風の向きを特定する仮想ボタンを表示し、空気調和機が吹き送る風の向きの指定をユーザに行わせるリモートコントローラが提案されている（例えば、特許文献１参照）。
【先行技術文献】
【特許文献】
【０００３】
【特許文献１】国際公開第２０１７／０２２１３２号
【発明の概要】
【発明が解決しようとする課題】
【０００４】
従来の技術では、ユーザは、空気調和機が吹き送る風の向きの指定を比較的容易に行うことができるが、空気調和機が吹き送る風の量の指定を比較的容易に行うことができない。【０００５】
本発明は、上記に鑑みてなされたものであって、空気調和機が吹き送る風の向きと量との双方の指定をユーザに比較的容易に行わせることができる空気調和機の操作装置を得ることを目的とする。
【課題を解決するための手段】
【０００６】
上述した課題を解決し、目的を達成するために、本発明に係る空気調和機の操作装置は、空気調和機が吹き送る風の向きと量とを特定するための第１の複数のボタンと、前記空気調和機の少なくとも一部を象徴する物とを有する。前記第１の複数のボタンの各々は、前記空気調和機が吹き送る風の向きと量との複数の組のいずれかひとつに対応付けられていると共に、ひとつの面において、前記空気調和機の少なくとも一部を象徴する物から放射状に広がる複数の線のうちのいずれかひとつの上に配置されている。
【発明の効果】
【０００７】
本発明に係る空気調和機の操作装置は、空気調和機が吹き送る風の向きと量との双方の指定をユーザに比較的容易に行わせることができるという効果を奏する。
【図面の簡単な説明】
【０００８】
【図１】実施の形態１に係る空気調和機の正面を模式的に示す図
【図２】実施の形態１に係る空気調和機の操作装置の構成を模式的に示す図
【図３】実施の形態１に係る空気調和機の操作装置が有する第１の複数のボタンの各々が発光素子を有することを説明するための図
【図４】実施の形態１に係る空気調和機の操作装置が有する発光素子を説明するための空気調和機の操作装置の一部の断面を模式的に示す図
【図５】実施の形態１に係る空気調和機の構成の一部を示す図
【図６】実施の形態１に係る空気調和機が有するベーンの向きを説明するための第１図
【図７】実施の形態１に係る空気調和機が有するベーンの向きを説明するための第２図
【図８】実施の形態１に係る空気調和機が自動運転を行っている場合の空気調和機の操作装置の例を説明するための図
【図９】実施の形態２に係る空気調和機の側面を模式的に示す図
【図１０】実施の形態２に係る空気調和機の操作装置の構成を模式的に示す図
【図１１】実施の形態２に係る空気調和機の構成の一部を示す図
【図１２】実施の形態２に係る空気調和機が有するベーンの向きを説明するための図
【図１３】実施の形態１に係る空気調和機が有する検出部、制御部及び受付部の少なくとも一部の機能がプロセッサによって実現される場合のプロセッサを示す図
【図１４】実施の形態１に係る空気調和機が有する検出部、制御部及び受付部を構成する少なくとも一部が処理回路によって実現される場合の処理回路を示す図
【発明を実施するための形態】
【０００９】
以下に、本発明の実施の形態に係る空気調和機の操作装置及び空気調和機を図面に基づいて詳細に説明する。なお、この実施の形態によりこの発明が限定されるものではない。
【００１０】
実施の形態１．
図１は、実施の形態１に係る空気調和機１の正面を模式的に示す図である。空気調和機１は、例えば床に配置される装置である。空気調和機１の正面は、ひとつの面の例である。空気調和機１は、風を吹き送る第１の吹き出し口１１と、風を吹き送る第２の吹き出し口１２とを有する。第１の吹き出し口１１は、第２の吹き出し口１２より空気調和機１の上面１３の側に設けられている。第２の吹き出し口１２は、第１の吹き出し口１１より空気調和機１の底面１４の側に設けられている。つまり、第１の吹き出し口１１は上段の吹き出し口であり、第２の吹き出し口１２は下段の吹き出し口である。
【００１１】
第１の吹き出し口１１の内部には、第１ベーン１１ａ、第２ベーン１１ｂ、第３ベーン１１ｃ及び第４ベーン１１ｄが設けられている。第２の吹き出し口１２の内部には、第５ベーン１２ａ、第６ベーン１２ｂ、第７ベーン１２ｃ及び第８ベーン１２ｄが設けられている。各ベーンは、空気調和機１が吹き送る風の向きを変化させるためのものである。各ベーンは、第１の吹き出し口１１又は第２の吹き出し口１２の内部に設けられているので破線で示されている。ベーンの個数は、上記の例の個数に限定されない。
【００１２】
各ベーンは、上面１３が鉛直方向の相対的に上方に位置し底面１４が鉛直方向の相対的に下方に位置して空気調和機１が配置された状態において、水平方向に回動する機能を有する。例えば、第１の吹き出し口１１について、ユーザが立って又は座って空気調和機１の正面を見た場合に相対的に左側に位置する第１ベーン１１ａ及び第２ベーン１１ｂは左側に向くことができ、相対的に右側に位置する第３ベーン１１ｃ及び第４ベーン１１ｄは右側に向くことができる。第１ベーン１１ａ及び第２ベーン１１ｂは右側に向くこともでき、第３ベーン１１ｃ及び第４ベーン１１ｄは左側に向くこともできる。
【００１３】
実施の形態１では、上記の状態を想定し、上下方向及び左右方向の各々を、ユーザが立って又は座って空気調和機１の正面を見た場合の方向と定義する。加えて、空気調和機１は、複数の向きに風を吹き送る機能を有している。実施の形態１では、空気調和機１が５個の向きに風を吹き送る機能を有することを想定する。
【００１４】
具体的には、第１の吹き出し口１１及び第２の吹き出し口１２の各々が左右方向における５個の向きに風を吹き送ることができることを想定する。更に言うと、第１の吹き出し口１１及び第２の吹き出し口１２の各々は、左向き、左斜め前向き、前向き、右斜め前向き及び右向きの５個の向きに風を吹き送ることができることを想定する。上記の「前向き」は、空気調和機１の内部の第１の位置から第１の位置と同じ高さの空気調和機１の正面の位置への向きである。
【００１５】
空気調和機１は、人の存在を検出する人感センサ１５を更に有する。人感センサ１５は、空気調和機１の正面に設けられている。例えば、人感センサ１５は、人の位置及び体温を検出する。空気調和機１は、ユーザが空気調和機１を操作するための空気調和機の操作装置１６を更に有する。以下では、「空気調和機の操作装置１６」を「操作装置１６」と記載する場合がある。操作装置１６は、空気調和機１の筐体の正面に設けられている。
【００１６】
図２は、実施の形態１に係る空気調和機の操作装置１６の構成を模式的に示す図である。操作装置１６は、空気調和機１の筐体の正面の第１の領域１７に配置されている第１の複数のボタン２０と、当該正面の第２の領域１８に配置されている第２の複数のボタン３０とを有する。第１の領域１７は、第１の吹き出し口１１に対応していて、相対的に上方に位置する。第２の領域１８は、第２の吹き出し口１２に対応していて、相対的に下方に位置する。第１の複数のボタン２０及び第２の複数のボタン３０は、空気調和機１が吹き送る風の向きと量とを特定するためのボタンである。
【００１７】
第１の複数のボタン２０及び第２の複数のボタン３０の各々は、空気調和機１が吹き送る風の向きと量との複数の組のいずれかひとつに対応付けられている。更に言うと、第１の複数のボタン２０の各々は、空気調和機１の第１の吹き出し口１１が吹き送る風の向きと量との複数の組のいずれかひとつに対応付けられている。第２の複数のボタン３０の各々は、空気調和機１の第２の吹き出し口１２が吹き送る風の向きと量との複数の組のいずれかひとつに対応付けられている。
【００１８】
操作装置１６は、空気調和機１の第１の吹き出し口１１を象徴する物２を有している。第１の吹き出し口１１を象徴する物２は、第１の領域１７に配置されている。第１の複数のボタン２０の各々は、空気調和機１の筐体の正面において、空気調和機１の第１の吹き出し口１１を象徴する物２から放射状に広がる複数の線２１ａ−２１ｅのうちのいずれかひとつの上に第１の複数のボタン２０のうちの他のボタンと重なることなく配置されている。更に言うと、第１の複数のボタン２０は、第１の吹き出し口１１を象徴する物２から放射状に広がる扇状の領域に配置されている。第１の吹き出し口１１を象徴する物２は、空気調和機１の少なくとも一部を象徴する物の例である。複数の線２１ａ−２１ｅは、仮想の線である。空気調和機１の筐体の正面は、ひとつの面の例である。
【００１９】
複数の線２１ａ−２１ｅの各々は、空気調和機１が吹き送る風の複数の向きのいずれかひとつに対応している。上述の通り、第１の吹き出し口１１は、左向き、左斜め前向き、前向き、右斜め前向き及び右向きの５個の向きに風を吹き送ることができる。線２１ａは左向きに対応しており、線２１ｂは左斜め前向きに対応しており、線２１ｃは前向きに対応しており、線２１ｄは右斜め前向きに対応しており、線２１ｅは右向きに対応している。
【００２０】
複数の線２１ａ−２１ｅの各々の上には、第１の複数のボタン２０のうちの４個のボタンが配置されている。当該４個のボタンは、第１の複数のボタン２０のうちの複数のボタンの例である。具体的には、線２１ａの上には、ボタン２０ａ、ボタン２０ｂ、ボタン２０ｃ及びボタン２０ｄが配置されている。線２１ｂの上には、ボタン２０ｅを含む４個のボタンが配置されている。線２１ｃの上には、ボタン２０ｙ及びボタン２０ｚを含む４個のボタンが配置されている。線２１ｄの上には、ボタン２０δを含む４個のボタンが配置されている。線２１ｅの上には、ボタン２０ｈ、ボタン２０ｊ、ボタン２０ｋ及びボタン２０ｍが配置されている。
【００２１】
複数の線２１ａ−２１ｅの各々に配置されているボタンに対応付けられている組の風の量は、第１の吹き出し口１１を象徴する物２から離れるにしたがって大きくなる。つまり、複数の線２１ａ−２１ｅの各々に配置されている４個のボタンのうちの第１の吹き出し口１１を象徴する物２に相対的に近い位置に配置されているボタンには、相対的に少ない風の量が対応付けられている。上記の４個のボタンのうちの第１の吹き出し口１１を象徴する物２から相対的に遠い位置に配置されているボタンには、相対的に多い風の量が対応付けられている。
【００２２】
具体的には、複数の線２１ａに配置されているボタン２０ａ、ボタン２０ｂ、ボタン２０ｃ及びボタン２０ｄについて、ボタン２０ａには最も少ない風量である第１の量が対応付けられており、ボタン２０ｂには第１の量より多い第２の量が対応付けられており、ボタン２０ｃには第２の量より多い第３の量が対応付けられており、ボタン２０ｄには最も多い風量である第４の量が対応付けられている。
【００２３】
空気調和機１が吹き送る風の複数の向きのうちの任意のひとつの向きが第１の向きであり、当該複数の向きのうちの第１の向きの一方の側の隣の向きが第２の向きであり、当該複数の向きのうちの第１の向きの他方の側の隣の向きが第３の向きであり、複数の線２１ａ−２１ｅのうちの任意の線が第１の線であり、複数の線２１ａ−２１ｅのうちの第１の線の一方の側の隣の線が第２の線であり、複数の線２１ａ−２１ｅのうちの第１の線の他方の側の隣の線が第３の線であると定義される場合を想定する。この場合、第１の線は第１の向きに対応しており、第２の線は第２の向きに対応しており、第３の線は第３の向きに対応している。つまり、複数の線２１ａ−２１ｅの各々は、空気調和機１が吹き送る風の複数の向きがひとつの回転方向に変化する順に配置されている。
【００２４】
操作装置１６は、空気調和機１の第２の吹き出し口１２を象徴する物３を有している。第２の吹き出し口１２を象徴する物３は、第２の領域１８に配置されている。第２の複数のボタン３０の各々は、第１の複数のボタン２０の各々と同様に配置されている。すなわち、第２の複数のボタン３０の各々は、空気調和機１の筐体の正面において、空気調和機１の第２の吹き出し口１２を象徴する物３から放射状に広がる複数の線３１ａ−３１ｅのうちのいずれかひとつの上に第２の複数のボタン３０のうちの他のボタンと重なることなく配置されている。更に言うと、第２の複数のボタン３０は、第２の吹き出し口１２を象徴する物３から放射状に広がる扇状の領域に配置されている。第２の吹き出し口１２を象徴する物３は、空気調和機１の上記の一部と異なる一部を象徴する物の例である。複数の線３１ａ−３１ｅは、仮想の線である。
【００２５】
複数の線３１ａ−３１ｅの各々は、空気調和機１が吹き送る風の複数の向きのいずれかひとつに対応している。上述の通り、第２の吹き出し口１２は、左向き、左斜め前向き、前向き、右斜め前向き及び右向きの５個の向きに風を吹き送ることができる。線３１ａは左向きに対応しており、線３１ｂは左斜め前向きに対応しており、線３１ｃは前向きに対応しており、線３１ｄは右斜め前向きに対応しており、線３１ｅは右向きに対応している。
【００２６】
複数の線３１ａ−３１ｅの各々の上には、第２の複数のボタン３０のうちの４個のボタンが配置されている。当該４個のボタンは、第２の複数のボタン３０のうちの複数のボタンの例である。具体的には、線３１ａの上には、ボタン３０ａ、ボタン３０ｂ、ボタン３０ｃ及びボタン３０ｄが配置されている。線３１ｅの上には、ボタン３０ｈ、ボタン３０ｊ、ボタン３０ｋ及びボタン３０ｍが配置されている。
【００２７】
複数の線３１ａ−３１ｅの各々に配置されているボタンに対応付けられている組の風の量は、第２の吹き出し口１２を象徴する物３から離れるにしたがって大きくなる。つまり、複数の線３１ａ−３１ｅの各々に配置されている４個のボタンのうちの第２の吹き出し口１２を象徴する物３に相対的に近い位置に配置されているボタンには、相対的に少ない風の量が対応付けられている。上記の４個のボタンのうちの第２の吹き出し口１２を象徴する物３から相対的に遠い位置に配置されているボタンには、相対的に多い風の量が対応付けられている。
【００２８】
具体的には、複数の線３１ａに配置されているボタン３０ａ、ボタン３０ｂ、ボタン３０ｃ及びボタン３０ｄについて、ボタン３０ａには最も少ない風量である第１の量が対応付けられており、ボタン３０ｂには第１の量より多い第２の量が対応付けられており、ボタン３０ｃには第２の量より多い第３の量が対応付けられており、ボタン３０ｄには最も多い風量である第４の量が対応付けられている。
【００２９】
空気調和機１が吹き送る風の複数の向きのうちの任意のひとつの向きが第１の向きであり、当該複数の向きのうちの第１の向きの一方の側の隣の向きが第２の向きであり、当該複数の向きのうちの第１の向きの他方の側の隣の向きが第３の向きであり、複数の線３１ａ−３１ｅのうちの任意の線が第１の線であり、複数の線３１ａ−３１ｅのうちの第１の線の一方の側の隣の線が第２の線であり、複数の線３１ａ−３１ｅのうちの第１の線の他方の側の隣の線が第３の線であると定義される場合を想定する。この場合、第１の線は第１の向きに対応しており、第２の線は第２の向きに対応しており、第３の線は第３の向きに対応している。つまり、複数の線３１ａ−３１ｅの各々は、空気調和機１が吹き送る風の複数の向きがひとつの回転方向に変化する順に配置されている。
【００３０】
第１の複数のボタン２０の各々は、少なくとも押下された場合に発光する発光素子を有する。発光素子の例は、発光ダイオードである。図３は、実施の形態１に係る空気調和機の操作装置１６が有する第１の複数のボタン２０の各々が発光素子を有することを説明するための図である。図３において、発光素子は、第１の複数のボタン２０の各々の中央部に四角い形状で示されているものである。具体的には、ボタン２０ａは発光素子２２ａを有し、ボタン２０ｄは発光素子２２ｄを有し、ボタン２０ｚは発光素子２２ｚを有し、ボタン２０ｈは発光素子２２ｈを有する。発光素子の形状は、四角い形状に限定されない。
【００３１】
図４は、実施の形態１に係る空気調和機の操作装置１６が有する発光素子２２を説明するための空気調和機の操作装置１６の一部の断面を模式的に示す図である。図４における破線は、複数の線２１ａ−２１ｅ及び複数の線３１ａ−３１ｅの各々の線に配置されている４個のボタンの各々を他のボタンと区別するために示された仮想の線である。操作装置１６は、静電容量式のタッチパネルによって構成されている。静電容量式のタッチパネルでは、ユーザの指が操作装置１６に近づくと静電容量が変化する。そのため、操作装置１６は、ユーザの指が第１の複数のボタン２０の上をスライドしたこと及び当該指が第１の複数のボタン２０のうちのいずれかのボタンを押下したことを検出部が検出することを可能にする。検出部については、後に説明する。
【００３２】
操作装置１６は、透明でユーザの指に触れられるパネル４１と、各ボタンに対応する電極４２と、パネル４１より空気調和機１の内側に位置するフィルム４３とを有する。電極４２は、パネル４１とフィルム４３とによって挟まれている。操作装置１６は、フィルム４３より空気調和機１の内側に位置する基板４４と、基板４４に設けられている発光素子２２とを更に有する。発光素子２２は、基板４４の二つの平面のうちのフィルム４３に相対的に近い側の面に設けられている。操作装置１６は、電極４２と基板４４とを接続する電気配線４５を更に有する。
【００３３】
ユーザの指がボタンに近づく又はボタンを押下すると静電容量が変化するので、ユーザの指が近づいたボタン又は当該指が押下したボタンに対応する発光素子２２に印加される電圧が変化し、発光素子２２は点灯する。第２の複数のボタン３０の各々も、第１の複数のボタン２０の各々と同様に、少なくとも押下された場合に発光する発光素子を有する。
【００３４】
図５は、実施の形態１に係る空気調和機１の構成の一部を示す図である。空気調和機１は、操作装置１６と、ユーザの指が操作装置１６の第１の複数のボタン２０の上をスライドしていることと指がスライドした後に停止したこととを検出する検出部５１とを有する。空気調和機１は、指が第１の複数のボタン２０の上をスライドした後に停止したことが検出部５１によって検出された場合、第１の複数のボタン２０のうちの指が停止したボタンに対応付けられている組の向きと量とで送風を行わせる制御部５２を更に有する。
【００３５】
検出部５１は、ユーザの指が操作装置１６の第２の複数のボタン３０の上をスライドしていることと指がスライドした後に停止したこととを検出する。制御部５２は、指が第２の複数のボタン３０の上をスライドした後に停止したことが検出部５１によって検出された場合、第２の複数のボタン３０のうちの指が停止したボタンに対応付けられている組の向きと量とで送風を行わせる。上述の通り、第２の複数のボタン３０の構成は、第１の複数のボタン２０の構成と同じである。そのため、以下では説明の便宜上、第１の複数のボタン２０に関連する事項を説明する。図５では、第１ベーン１１ａ、第２ベーン１１ｂ、第３ベーン１１ｃ及び第４ベーン１１ｄは、「ベーン１１ｘ」と記載されている。つまり、空気調和機１は、ベーン１１ｘを有する。
【００３６】
例えば、ユーザの指が図２の矢印で示される第１の進行の向き２３にスライドしてボタン２０ｃで停止した場合、つまり、当該指が第１の複数のボタン２０のうちのボタン２０ａ、ボタン２０ｂ、ボタン２０ｃの順にスライドしてボタン２０ｃで停止した場合、検出部５１は、当該指が第１の進行の向き２３にスライドしてボタン２０ｃで停止したことを検出する。制御部５２は、ボタン２０ｃに対応付けられている組の向きと量とで送風を行わせる制御を行う。
【００３７】
図６は、実施の形態１に係る空気調和機１が有するベーン１１ｘの向きを説明するための第１図である。ボタン２０ｃに対応付けられている組の向きが左向きであるので、図６に示す通り、制御部５２は、第１ベーン１１ａ、第２ベーン１１ｂ、第３ベーン１１ｃ及び第４ベーン１１ｄを左に向かせる。ボタン２０ｃには、３番目の量も対応付けられている。そのため、空気調和機１は、左向きに３番目の量で風を吹き送る。
【００３８】
上述の場合、ボタン２０ａ、ボタン２０ｂ及びボタン２０ｃの各々が有する発光素子は、対応するボタンに指が触れられると点灯する。つまり、ボタン２０ａ、ボタン２０ｂ及びボタン２０ｃの各々が有する３個の発光素子は、第１の進行の向き２３に順に点灯する。ボタン２０ａ、ボタン２０ｂ及びボタン２０ｃの各々が有する発光素子が点灯するので、ユーザは、空気調和機１が左向きに３番目の量で風を吹き送っていることを視覚的に認識することができる。
【００３９】
なお、ユーザの指がスライドすることなくボタン２０ｃを押下した場合、検出部５１は、当該指がボタン２０ｃを押下したことを検出する。制御部５２は、ボタン２０ｃに対応付けられている組の向きと量とで送風を行わせる制御を行う。つまり、検出部５１は、ユーザの指が第１の複数のボタン２０のうちのいずれかひとつのボタンを押下したことを検出する機能を有する。制御部５２は、当該指が第１の複数のボタン２０のうちのいずれかひとつのボタンを押下したことが検出部５１によって検出された場合、第１の複数のボタン２０のうちの当該指が押下したボタンに対応付けられている組の向きと量とで送風を行わせる機能を有する。
【００４０】
制御部５２は、ユーザの指が第１の複数のボタン２０の上をスライドして停止した後に当該指が再度スライドして再度停止した場合、当該指が最初に停止したボタンに対応付けられている組の量と当該指が最後に停止したボタンに対応付けられている組の量とが同じであるとき、当該指が最初に停止したボタンに対応付けられている向きと当該指が最後に停止したボタンに対応付けられている向きとの間でベーンをスイングさせる機能を有する。
【００４１】
具体的には、ユーザの指が第１の複数のボタン２０の上を図２の第１の進行の向き２３にスライドしてボタン２０ｄで停止した後に当該指がボタン２０ｅの向きに再度スライドしてボタン２０ｅで再度停止した場合、制御部５２は、ボタン２０ｄに対応付けられている向きとボタン２０ｅに対応付けられている向きとの間で第１ベーン１１ａ、第２ベーン１１ｂ、第３ベーン１１ｃ及び第４ベーン１１ｄをスイングさせる。
【００４２】
ボタン２０ｄは線２１ａの上に配置されており、線２１ａは左向きに対応する。ボタン２０ｅは線２１ｂの上に配置されており、線２１ｂは左斜め前向きに対応する。そのため、制御部５２が行う制御によって、空気調和機１は左向きと左斜め前向きとに交互に風を吹き送る。この場合、ボタン２０ｄ及びボタン２０ｅの各々が有する発光素子は交互に発光してもよい。これにより、空気調和機１は、ベーン１１ｘがスイングしていることをユーザに認識させてもよい。
【００４３】
なお、例えばユーザの指がボタン２０ｄからボタン２０ｂにスライドしてボタン２０ｂで停止した場合、又は当該指がボタン２０ｂを押下した場合、ボタン２０ａ及びボタン２０ｂの各々が有する発光素子が点灯する。
【００４４】
制御部５２は、ユーザの指が第１の複数のボタン２０のうちのいずれかひとつのボタンを押下した後に当該指がスライドして停止した場合、当該指が押下したボタンに対応付けられている組の量と当該指が停止したボタンに対応付けられている組の量とが同じであるとき、当該指が押下したボタンに対応付けられている向きと当該指が停止したボタンに対応付けられている向きとの間でベーン１１ｘをスイングさせる機能を有する。
【００４５】
検出部５１は、第１の複数のボタン２０のうちの風の量が同じで風の向きが異なる２個のボタンが同時に押下された場合に当該２個のボタンが同時に押下されたことを検出する機能を有する。制御部５２は、当該２個のボタンが同時に押下されたことが検出部５１によって検出された場合、ベーン１１ｘのうちの第１のベーンについて、検出部５１によって検出された当該２個のボタンのうちの一方のボタンに対応付けられている組の向きに風を吹き送らせ、ベーン１１ｘのうちの第２のベーンについて、検出部５１によって検出された当該２個のボタンのうちの他方のボタンに対応付けられている組の向きに風を吹き送らせる制御を行う機能を有する。
【００４６】
図７は、実施の形態１に係る空気調和機１が有するベーン１１ｘの向きを説明するための第２図である。ボタン２０ｃがベーン１１ｘのうちの第１ベーン１１ａ及び第２ベーン１１ｂに対応付けられていて、ボタン２０ｙが複数のベーン１１ｘのうちの第３ベーン１１ｃ及び第４ベーン１１ｄに対応付けられていることを想定する。ボタン２０ｃは、線２１ａの上の位置であってボタン２０ｄより第１の吹き出し口１１を象徴する物２の側の位置に配置されているボタンである。ボタン２０ｙは、線２１ｃの上の位置であってボタン２０ｚより第１の吹き出し口１１を象徴する物２の側の位置に配置されているボタンである。
【００４７】
この場合、ユーザの指がボタン２０ｃとボタン２０ｙとを同時に押下したとき、制御部５２は、第１ベーン１１ａ及び第２ベーン１１ｂを左に向かせ、第３ベーン１１ｃ及び第４ベーン１１ｄを左右のいずれの向きにも向かせない。つまり、制御部５２は、第１ベーン１１ａ及び第２ベーン１１ｂについて左向きの風を吹き送らせる制御を行い、第３ベーン１１ｃ及び第４ベーン１１ｄについて前向きの風を吹き送らせる制御を行う。
【００４８】
ボタン２０ｃ及びボタン２０ｙの各々に対応付けられている組の風の量は、３番目の量である。そのため、空気調和機１は、３番目の量で風を吹き送る。ボタン２０ｃと線２１ａの上のボタン２０ｃより第１の吹き出し口１１を象徴する物２の側のボタンとが点灯し、ボタン２０ｙと線２１ｃの上のボタン２０ｙより第１の吹き出し口１１を象徴する物２の側のボタンとが点灯する。これにより、ユーザは、空気調和機１が３番目の量で左向きの風と前向きの風とを吹き送っていることを認識することができる。
【００４９】
制御部５２は、第１の複数のボタン２０のうちの設定された自動運転時に空気調和機１が吹き送っている風の向きと量との組に対応するボタンが有する発光素子を点灯させる機能を有する。自動運転は、ユーザの操作によらず、空気調和機１が例えば人感センサ１５が行う検出によって得られた情報をもとに自動で動作することである。
【００５０】
例えば空気調和機１が人感センサ１５が行う検出によって得られた情報をもとに自動運転を行っている場合、制御部５２が行う制御によって、第１の複数のボタン２０のうちの空気調和機１が吹き送っている風の向きと量との組に対応するボタンが有する発光素子が点灯する。そのため、ユーザは、自動運転時に空気調和機１が吹き送っている風の向きと量とを認識することができる。
【００５１】
空気調和機１が人感センサ１５を用いて空気調和機１が配置されている位置からユーザが存在する位置の向きに風を吹き送っている場合を想定する。この場合、第１の複数のボタン２０のうちの当該向きに対応付けられている組の複数のボタンのうちの第１の吹き出し口１１を象徴する物２から最も離れた位置に配置されているボタンが有する発光素子は、点滅又は点灯してもよい。
【００５２】
当該向きに対応付けられている組の複数のボタンのうちの第１の吹き出し口１１を象徴する物２から最も離れた位置に配置されているボタンより第１の吹き出し口１１を象徴する物２の側に配置されている各ボタンが有する発光素子は、第１の吹き出し口１１を象徴する物２からの距離の順に点滅してもよい。これにより、ユーザは、空気調和機１が当該向きに風を吹き送っていることを認識することができる。
【００５３】
図８は、実施の形態１に係る空気調和機１が自動運転を行っている場合の空気調和機の操作装置１６の例を説明するための図である。ユーザが、空気調和機１が前向きに風を吹き送っている場合に空気調和機１からの風を直接受ける状況を想定する。当該状況において、空気調和機１が最も多い風量である４番目の量で風を吹き送っていることを更に想定する。この場合、ボタン２０ｚに前向きと４番目の量との組が対応付けられているので、制御部５２は、ボタン２０ｚが有する発光素子を点灯又は点滅させる。
【００５４】
例えば、制御部５２は、ボタン２０ｚが配置されている線２１ｃのボタン２０ｚより第１の吹き出し口１１を象徴する物２の側のボタン２０ｗ、ボタン２０ｘ及びボタン２０ｙの各々が有する発光素子を、第１の吹き出し口１１を象徴する物２からの距離の順に点滅させる。ボタン２０ｚが有する発光素子が点灯又は点滅し、ボタン２０ｗ、ボタン２０ｘ及びボタン２０ｙの各々が有する発光素子が順に点滅することにより、ユーザは、空気調和機１が前向きに最も多い風量である４番目の量で風を吹き送っていることを認識することができる。なお、ボタン２０ｗ、ボタン２０ｘ及びボタン２０ｙの各々が有する発光素子は、点滅ではなく点灯してもよい。
【００５５】
例えば、空気調和機１が最も多い風量である４番目の量で前向きに風を吹き送っていて、第１のユーザが空気調和機１からの風を直接受けている状況を想定する。当該状況において、空気調和機１が最も多い風量である４番目の量で右斜め前向きにも風を吹き送っていて、第２のユーザが空気調和機１からの風を直接受けている状況を想定する。ボタン２０ｚに対応付けられている組の風の向きが前向きであって、当該組の風の量が４番目の量である。ボタン２０δに対応付けられている組の風の向きが右斜め前向きであって、当該組の風の量が４番目の量である。そのため、当該状況において、制御部５２は、ボタン２０ｚ及びボタンδの各々が有する発光素子を点灯又は点滅させる。
【００５６】
例えば、制御部５２は、ボタン２０ｚが配置されている線２１ｃのボタン２０ｚより第１の吹き出し口１１を象徴する物２の側のボタン２０ｗ、ボタン２０ｘ及びボタン２０ｙの各々が有する発光素子を、第１の吹き出し口１１を象徴する物２からの距離の順に点滅させる。加えて、制御部５２は、ボタン２０δが配置されている線２１ｄのボタン２０δより第１の吹き出し口１１を象徴する物２の側のボタン２０α、ボタン２０β及びボタン２０γの各々が有する発光素子を、第１の吹き出し口１１を象徴する物２からの距離の順に点滅させる。
【００５７】
ボタン２０ｚが有する発光素子が点灯又は点滅するので、第１のユーザは、空気調和機１が前向きに最も多い風量である４番目の量で風を吹き送っていることを認識することができる。ボタン２０δが有する発光素子が点灯又は点滅するので、第２のユーザは、空気調和機１が右斜め前向きに最も多い風量である４番目の量で風を吹き送っていることを認識することができる。
【００５８】
図２及び図８に示す通り、操作装置１６は、第２発光素子２４ａ、第２発光素子２４ｂ、第２発光素子２４ｃ、第２発光素子２４ｄ及び第２発光素子２４ｅを更に有する。第２発光素子２４ａ、第２発光素子２４ｂ、第２発光素子２４ｃ、第２発光素子２４ｄ及び第２発光素子２４ｅは、複数の第２発光素子の例である。複数の第２発光素子２４ａ−２４ｅの各々は、複数の線２１ａ−２１ｅのうちのアルファベットの文字が同じである線の上において、第１の吹き出し口１１を象徴する物２から最も離れたボタンの外側に配置されている。第２発光素子２４ａ、第２発光素子２４ｂ、第２発光素子２４ｃ、第２発光素子２４ｄ及び第２発光素子２４ｅの形状は、人の形を模式的に示す形状であってもよい。
【００５９】
具体的には、第２発光素子２４ａは、線２１ａに対応付けられており、線２１ａの第１の吹き出し口１１を象徴する物２から最も離れたボタン２０ｄより、第１の吹き出し口１１を象徴する物２から遠い位置に配置されている。第２発光素子２４ｂは、線２１ｂに対応付けられており、線２１ｂの第１の吹き出し口１１を象徴する物２から最も離れたボタン２０ｅより、第１の吹き出し口１１を象徴する物２から遠い位置に配置されている。第２発光素子２４ｃ、第２発光素子２４ｄ及び第２発光素子２４ｅの各々も、第２発光素子２４ａ及び第２発光素子２４ｂと同様に、図２及び図８に示すように配置されている。
【００６０】
空気調和機１が人感センサ１５を用いて空気調和機１が配置されている位置からユーザが存在する位置への向きと異なる向きに風を吹き送っている状況を想定する。この場合、複数の第２発光素子２４ａ−２４ｅのうちの空気調和機１が配置されている位置からユーザが存在する位置への向きに対応する線の上に設けられている第２発光素子は、点灯する。
【００６１】
空気調和機１が人感センサ１５を用いて空気調和機１が左斜め前向きに風を吹き送っている場合、第２発光素子２４ｂが点灯する。なお、第２発光素子２４ｂが位置する線２１ｂに配置されているボタン２０ｐ、ボタン２０ｓ、ボタン２０ｔ及びボタン２０ｅの各々が有する発光素子は、第１の吹き出し口１１を象徴する物２からの距離の順に点滅してもよい。この場合、空気調和機１が左斜め前向きに最も多い風量である４番目の量で風を吹き送っているとき、ボタン２０ｐ、ボタン２０ｓ及びボタン２０ｔ及びボタンｅの各々が有する発光素子が順に点滅する動作が繰り返された後にボタン２０ｅが有する発光素子が点灯してもよい。
【００６２】
図５に示す通り、空気調和機１は、風を吹き送らせない向きを示す情報を受け付ける受付部５３を更に有する。空気調和機１が配置される部屋に柱が存在する場合がある。その場合、空気調和機１が柱に向かって風を吹き送っても、風は当該部屋にいる人に適切に送られない。空気調和機１が設定された自動運転時に受付部５３が風を吹き送らせない向きを示す情報を受け付けた場合、制御部５２は、当該情報が示す向きに風を吹き送らせない制御を行う。具体的には、制御部５２は、ベーン１１ｘに、当該情報が示す向きに風を吹き送らせない制御を行う。
【００６３】
風を吹き送らせない向きが空気調和機１から柱への向きであることを示す情報をユーザが空気調和機１に入力して受付部５３が当該情報を受け付けると、制御部５２は、空気調和機１から柱への向きに風を吹き送らせない制御を行う。その結果、風がユーザに適切に送られる可能性が高まる。つまり、空気調和機１は、風をユーザに適切に吹き送らせる可能性を高めることができる。なお、操作装置１６は、ユーザが風を吹き送らせない向きを示す情報を空気調和機１に入力するためのボタンを有していてもよい。その場合、ユーザが当該ボタンを用いて空気調和機１に入力した情報は、受付部５３に受け付けられる。当該ボタンは、第１の複数のボタン２０のうちの第１の吹き出し口１１を象徴する物２から最も離れた位置に配置されているボタンの一部であってもよい。
【００６４】
上述の通り、空気調和機の操作装置１６は、空気調和機１が吹き送る風の向きと量とを特定するための第１の複数のボタン２０を有する。第１の複数のボタン２０の各々は、空気調和機１が吹き送る風の向きと量との複数の組のいずれかひとつに対応付けられていると共に、空気調和機１の正面において、吹き出し口１１を象徴する物２から放射状に広がる複数の線２１ａ−２１ｅのうちのいずれかひとつの上に配置されている。したがって、空気調和機の操作装置１６は、空気調和機１が吹き送る風の向き及び量の双方の指定をユーザに比較的容易に行わせることができる。
【００６５】
複数の線２１ａ−２１ｅの各々は、空気調和機１が吹き送る風の複数の向きのいずれかひとつに対応している。複数の線２１ａ−２１ｅの各々の上には、第１の複数のボタン２０のうちの複数のボタンが配置されている。複数の線２１ａ−２１ｅの各々に配置されているボタンに対応付けられている組の風の量は、吹き出し口１１を象徴する物２から離れるにしたがって大きくなる。
【００６６】
空気調和機１が吹き送る風の複数の向きのうちの任意のひとつの向きが第１の向きであり、当該複数の向きのうちの第１の向きの一方の側の隣の向きが第２の向きであり、当該複数の向きのうちの第１の向きの他方の側の隣の向きが第３の向きであり、複数の線２１ａ−２１ｅのうちの任意の線が第１の線であり、複数の線２１ａ−２１ｅのうちの第１の線の一方の側の隣の線が第２の線であり、複数の線２１ａ−２１ｅのうちの第１の線の他方の側の隣の線が第３の線であると定義される場合、第１の線は第１の向きに対応しており、第２の線は第２の向きに対応しており、第３の線は第３の向きに対応している。
【００６７】
そのため、ユーザは、空気調和機の操作装置１６を使用する場合、視覚と方向についての常識とをもとに、空気調和機１が吹き送る風の向き及び量の双方についての指定を比較的容易に行うことができる。方向についての常識は、相対的に左の向きは相対的に左に配置されている物に対応し、相対的に右の向きは相対的に右に配置されている物に対応するという知識である。
【００６８】
加えて、ユーザが空気調和機の操作装置１６を用いて空気調和機１を操作した場合、空気調和機１は、ユーザの操作にしたがった動作を行う。すなわち、空気調和機１は、ユーザが空気調和機の操作装置１６を用いて行った操作にしたがって運転することができる。
【００６９】
なお、上述した実施の形態１では、複数の線２１ａ−２１ｅの各々に配置されているボタンに対応付けられている組の風の量は、第１の吹き出し口１１を象徴する物２から離れるにしたがって大きくなる。しかしながら、複数の線２１ａ−２１ｅの各々に配置されているボタンに対応付けられている組の風の量は、第１の吹き出し口１１を象徴する物２から離れるにしたがって小さくなってもよい。
【００７０】
実施の形態２．
図９は、実施の形態２に係る空気調和機１Ａの側面を模式的に示す図である。空気調和機１Ａは、例えば床に配置される装置であって、風を吹き送る。図１０は、実施の形態２に係る空気調和機の操作装置１６Ａの構成を模式的に示す図である。以下では、「空気調和機の操作装置１６Ａ」を「操作装置１６Ａ」と記載する場合がある。操作装置１６Ａは、空気調和機１Ａの筐体の正面に設けられている。
【００７１】
鉛直線の上において空気調和機１Ａの上面１９ａが空気調和機１Ａの底面１９ｂより鉛直上方の側に配置された状態を想定する。図１０は、当該状態において、ユーザが立って又は座って空気調和機１Ａの正面を見た場合に認識される操作装置１６Ａを模式的に示している。空気調和機１Ａの正面は、ひとつの面の例である。操作装置１６Ａは、空気調和機１Ａが吹き送る風の向きを特定するためのボタン６１ａ、ボタン６１ｂ、ボタン６１ｃ及びボタン６１ｄを有する。ボタン６１ａ、ボタン６１ｂ、ボタン６１ｃ及びボタン６１ｄは、複数のボタンの例である。
【００７２】
ボタン６１ａ、ボタン６１ｂ、ボタン６１ｃ及びボタン６１ｄの各々は、空気調和機１Ａが吹き送る風の複数の向きのいずれかひとつに対応付けられていると共に、空気調和機１Ａの正面のひとつの線６２の上に配置されている。更に言うと、ボタン６１ａ、ボタン６１ｂ、ボタン６１ｃ及びボタン６１ｄの各々は、上記の線６２の上に、ボタン６１ａ、ボタン６１ｂ、ボタン６１ｃ及びボタン６１ｄのうちの他のボタンと重なることなく配置されている。線６２は、上記の状態において鉛直線であって、仮想の線である。当該状態において、ボタン６１ａ及びボタン６１ｂには空気調和機１Ａが吹き送る風の相対的に上向きが対応付けられており、ボタン６１ｃ及びボタン６１ｄには空気調和機１Ａが吹き送る風の相対的に下向きが対応付けられている。
【００７３】
ボタン６１ａ、ボタン６１ｂ、ボタン６１ｃ及びボタン６１ｄの各々は、少なくとも押下された場合に発光する発光素子を有する。発光素子の例は、発光ダイオードである。具体的には、ボタン６１ａは発光素子６３ａを有し、ボタン６１ｂは発光素子６３ｂを有し、ボタン６１ｃは発光素子６３ｃを有し、ボタン６１ｄは発光素子６３ｄを有する。図１０では、発光素子は四角い形状で示されている。発光素子の形状は、四角い形状に限定されない。
【００７４】
図１１は、実施の形態２に係る空気調和機１Ａの構成の一部を示す図である。空気調和機１Ａは、風を吹き送る装置であって、操作装置１６Ａと、上記の状態において相対的に鉛直上方に位置する上ベーン６４と、上記の状態において相対的に鉛直下方に位置する下ベーン６５とを有する。空気調和機１Ａは、ボタン６１ａ、ボタン６１ｂ、ボタン６１ｃ及びボタン６１ｄのうちのいずれかひとつが押下された場合に押下されたボタンを検出する検出部６６を更に有する。検出部６６は、ボタン６１ａとボタン６１ｂとのうちの一方とボタン６１ｃとボタン６１ｄとのうちの一方とが同時に押下された場合に２個のボタンが同時に押下されたことを検出する機能も有する。
【００７５】
空気調和機１Ａは、上ベーン６４及び下ベーン６５について、ボタン６１ａ、ボタン６１ｂ、ボタン６１ｃ及びボタン６１ｄのうちのいずれかひとつが押下された場合に検出部６６によって検出されたボタンに対応付けられている向きに風を吹き送らせる制御を行う制御部６７を更に有する。制御部６７は、ボタン６１ａとボタン６１ｂとのうちの一方とボタン６１ｃとボタン６１ｄとのうちの一方とが同時に押下されたことが検出部６６によって検出された場合、上ベーン６４について上向きに風を吹き送らせる制御を行い、下ベーン６５について下向きに風を吹き送らせる制御を行う。
【００７６】
図１２は、実施の形態２に係る空気調和機１Ａが有するベーンの向きを説明するための図である。実施の形態２の具体例では、図１１に示される上ベーン６４は第１上ベーン６４ａと第２上ベーン６４ｂとによって構成されており、図１１に示される下ベーン６５は第１下ベーン６５ａと第２下ベーン６５ｂとによって構成されている。第１上ベーン６４ａ、第２上ベーン６４ｂ、第１下ベーン６５ａ及び第２下ベーン６５ｂは、空気調和機１Ａの内部に設けられている。
【００７７】
例えばボタン６１ａとボタン６１ｂとのうちの一方とボタン６１ｃとボタン６１ｄとのうちの一方とが同時に押下された場合、制御部６７は、第１上ベーン６４ａ及び第２上ベーン６４ｂを上に向けて、第１上ベーン６４ａ及び第２上ベーン６４ｂについて上向きに風を吹き送らせる制御を行う。制御部６７は、第１下ベーン６５ａ及び第２下ベーン６５ｂを下に向けて、第１下ベーン６５ａ及び第２下ベーン６５ｂについて下向きに風を吹き送らせる制御を行う。
【００７８】
例えばボタン６１ａのみが押下された場合、制御部６７は、第１上ベーン６４ａ、第２上ベーン６４ｂ、第１下ベーン６５ａ及び第２下ベーン６５ｂを上に向けて、第１上ベーン６４ａ、第２上ベーン６４ｂ、第１下ベーン６５ａ及び第２下ベーン６５ｂについて上向きに風を吹き送らせる制御を行う。
【００７９】
上述の通り、空気調和機の操作装置１６Ａは、空気調和機１Ａが吹き送る風の向きを特定するための複数のボタンを有する。複数のボタンの各々は、空気調和機１Ａが吹き送る風の複数の向きのいずれかひとつに対応付けられていると共に、空気調和機１Ａの正面の線６２の上に配置されている。したがって、空気調和機の操作装置１６Ａは、空気調和機１Ａが吹き送る風の向きの指定をユーザに比較的容易に行わせることができる。
【００８０】
加えて、ユーザが空気調和機の操作装置１６Ａを用いて空気調和機１Ａを操作した場合、空気調和機１Ａは、ユーザの操作にしたがった動作を行う。すなわち、空気調和機１Ａは、ユーザが空気調和機の操作装置１６Ａを用いて行った操作にしたがって運転することができる。
【００８１】
図１３は、実施の形態１に係る空気調和機１が有する検出部５１、制御部５２及び受付部５３の少なくとも一部の機能がプロセッサ８１によって実現される場合のプロセッサ８１を示す図である。つまり、検出部５１、制御部５２及び受付部５３の少なくとも一部の機能は、メモリ８２に格納されるプログラムを実行するプロセッサ８１によって実現されてもよい。プロセッサ８１は、ＣＰＵ（Central  Processing  Unit）、マイクロコンピュータ、処理装置、演算装置、マイクロプロセッサ、又はＤＳＰ（Digital  Signal  Processor）である。図１３には、メモリ８２も示されている。
【００８２】
検出部５１、制御部５２及び受付部５３の少なくとも一部の機能がプロセッサ８１によって実現される場合、当該一部の機能は、プロセッサ８１と、ソフトウェア、ファームウェア、又は、ソフトウェア及びファームウェアとの組み合わせにより実現される。ソフトウェア又はファームウェアはプログラムとして記述され、メモリ８２に格納される。プロセッサ８１は、メモリ８２に記憶されたプログラムを読み出して実行することにより、検出部５１、制御部５２及び受付部５３の少なくとも一部の機能を実現する。
【００８３】
すなわち、検出部５１、制御部５２及び受付部５３の少なくとも一部の機能がプロセッサ８１によって実現される場合、空気調和機１は、検出部５１、制御部５２及び受付部５３の少なくとも一部によって実行されるステップが結果的に実行されることになるプログラムを格納するためのメモリ８２を有する。メモリ８２に格納されるプログラムは、検出部５１、制御部５２及び受付部５３の少なくとも一部が実行する手順又は方法をコンピュータに実行させるものであるともいえる。
【００８４】
メモリ８２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００８５】
図１４は、実施の形態１に係る空気調和機１が有する検出部５１、制御部５２及び受付部５３を構成する少なくとも一部が処理回路８３によって実現される場合の処理回路８３を示す図である。つまり、検出部５１、制御部５２及び受付部５３の少なくとも一部は、処理回路８３によって実現されてもよい。
【００８６】
処理回路８３は、専用のハードウェアである。処理回路８３は、例えば、単一回路、複合回路、プログラム化されたプロセッサ、並列プログラム化されたプロセッサ、ＡＳＩＣ(Application  Specific  Integrated  Circuit)、ＦＰＧＡ（Field-Programmable  Gate  Array）、又はこれらを組み合わせたものである。検出部５１、制御部５２及び受付部５３の一部は、残部とは別個の専用のハードウェアであってもよい。
【００８７】
実施の形態２に係る空気調和機１Ａにおける検出部６６及び制御部６７が有する複数の機能の一部は、プロセッサ８１と同じ機能を有するプロセッサによって実現されてもよい。検出部６６及び制御部６７が有する複数の機能の一部がプロセッサによって実現される場合、空気調和機１Ａは、当該一部の機能に対応するステップが結果的に実行されることになるプログラムを格納するためのメモリを有する。当該メモリは、メモリ８２と同じ機能を有するメモリである。
【００８８】
実施の形態２に係る空気調和機１Ａが有する検出部６６及び制御部６７を構成する少なくとも一部の構成要素は、処理回路８３と同じ機能を有する処理回路によって実現されてもよい。
【００８９】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００９０】
１，１Ａ  空気調和機、２  第１の吹き出し口を象徴する物、３  第２の吹き出し口を象徴する物、１１  第１の吹き出し口、１１ａ  第１ベーン、１１ｂ  第２ベーン、１１ｃ  第３ベーン、１１ｄ  第４ベーン、１１ｘ  ベーン、１２  第２の吹き出し口、１２ａ  第５ベーン、１２ｂ  第６ベーン、１２ｃ  第７ベーン、１２ｄ  第８ベーン、１３，１９ａ  上面、１４，１９ｂ  底面、１５  人感センサ、１６，１６Ａ  空気調和機の操作装置、１７  第１の領域、１８  第２の領域、２０  第１の複数のボタン、２０ａ，２０ｂ，２０ｃ，２０ｄ，２０ｅ，２０ｈ，２０ｊ，２０ｋ，２０ｍ，２０ｐ，２０ｓ，２０ｔ，２０ｗ，２０ｘ，２０ｙ，２０ｚ，２０α，２０β，２０γ，２０δ，３０ａ，３０ｂ，３０ｃ，３０ｄ，３０ｈ，３０ｊ，３０ｋ，３０ｍ，６１ａ，６１ｂ，６１ｃ，６１ｄ  ボタン、２１ａ，２１ｂ，２１ｃ，２１ｄ，２１ｅ，３１ａ，３１ｂ，３１ｃ，３１ｄ，３１ｅ，６２  線、２２，２２ａ，２２ｄ，２２ｈ，２２ｚ，６３ａ，６３ｂ，６３ｃ，６３ｄ  発光素子、２３  第１の進行の向き、２４ａ，２４ｂ，２４ｃ，２４ｄ，２４ｅ  第２発光素子、３０  第２の複数のボタン、４１  パネル、４２  電極、４３  フィルム、４４  基板、４５  電気配線、５１，６６  検出部、５２，６７  制御部、５３  受付部、６４  上ベーン、６４ａ  第１上ベーン、６４ｂ  第２上ベーン、６５  下ベーン、６５ａ  第１下ベーン、６５ｂ  第２下ベーン、８１  プロセッサ、８２  メモリ、８３  処理回路。
【図１】
2019175986.tif 000003
【図２】
2019175986.tif 000004
【図３】
2019175986.tif 000005
【図４】
2019175986.tif 000006
【図５】
2019175986.tif 000007
【図６】
2019175986.tif 000008
【図７】
2019175986.tif 000009
【図８】
2019175986.tif 000010
【図９】
2019175986.tif 000011
【図１０】
2019175986.tif 000012
【図１１】
2019175986.tif 000013
【図１２】
2019175986.tif 000014
【図１３】
2019175986.tif 000015
【図１４】
2019175986.tif 000016
【国際調査報告】
2019175986.tif 000017
2019175986.tif 000018
2019175986.tif 000019
2019175986.tif 000020
2019175986.tif 000021
2019175986.tif 000022
2019175986.tif 000023
2019175986.tif 000024